(57)【要約】変圧器の二次側に接続された第１のインピーダンス（１４）および第２のインピーダンス（１６）を備え、前記第２のインピーダンスは前記第１のインピーダンスに比較してフェーズシフトされた値を有する。二つのランプ負荷（１８，２０）は、共に直列に接続され、そして第１のインピーダンス（１４）および第２のインピーダンス（１６）並びに前記変圧器に並列に接続される。インピーダンス間のフェーズシフトは、変圧器が、直列接続されたランプを点灯するために倍の点灯電圧を供給する必要がないことを保証する。第１および第２のインピーダンス間の差は、ランプが特定のシーケンスで点灯することを保証する。
2005507145.tif 000002
【特許請求の範囲】
【請求項１】
電源と、
第２のインピーダンスネットワークに直列接続された第１のインピーダンスネットワークと、第２の負荷に直列接続された第１の負荷とを備え、
前記第２のインピーダンスネットワークは、前記第１のインピーダンスネットワークに対してフェーズシフトされると共に異なるインピーダンス値を有し、前記第１および第２のインピーダンスネットワークは前記電源に並列接続され、前記第１および第２の負荷は、前記第１および第２のインピーダンスネットワークにそれぞれ並列接続され、前記第１および第２のインピーダンスネットワーク間の前記インピーダンスの差は、前記第１および第２の負荷について初期電圧の選択されたシーケンスを発生する負荷駆動システム。
【請求項２】
前記第１のインピーダンスは、前記第２のインピーダンスよりも大きなインピーダンス値を有することを特徴とする請求項１記載のシステム。
【請求項３】
前記第１のインピーダンスは抵抗を備えると共に、第２のインピーダンスはキャパシタを備え、前記第１のインピーダンスは前記第２のインピーダンスよりも大きなインピーダンス値を有することを特徴とする請求項１記載のシステム。
【請求項４】
前記第１のインピーダンスは抵抗を備えると共に、第２のインピーダンスはインダクタを備え、前記第１のインピーダンスは前記第２のインピーダンスよりも大きなインピーダンス値を有することを特徴とする請求項１記載のシステム。
【請求項５】
前記第２のインピーダンスは、前記第１の負荷について前記電源へのリターンパスを提供することを特徴とする請求項１記載のシステム。
【請求項６】
前記第１の負荷は、前記第２の負荷について前記電源へのリターンパスを提供することを特徴とする請求項１記載のシステム。
【請求項７】
前記第１のインピーダンスネットワークをはさんで発生される電圧をｘとし、前記フェーズされたインピーダンスネットワークをはさんで発生される電圧をｙとしたときに、前記電源によって供給されるトータルの電圧Ｖｔは、数式Ｖｔ＝√（ｘ２＋ｙ２）を満足することを特徴とする請求項１記載のシステム。
【請求項８】
前記第１の負荷は前記電源によって供給される初期電圧の大部分を受け取り、その後に前記第１の負荷は前記初期電圧よりも小さな動作電圧を受け取ることを特徴とする請求項１記載のシステム。
【請求項９】
前記第２のインピーダンスは、前記第１のインピーダンスから概ね９０°だけフェーズがずれていることを特徴とする請求項１記載のシステム。
【請求項１０】
前記第１および第２のインピーダンスに接続され、前記第１および第２のインピーダンスをはさんだ電圧を示す電圧フィードバック信号を発生する電圧フィードバック回路をさらに備えたことを特徴とする請求項１記載のシステム。
【請求項１１】
前記第２のランプに接続され、前記第２の負荷に供給される電流を示す電流フィードバック信号を発生する電流フィードバック回路をさらに備えたことを特徴とする請求項１記載のシステム。
【請求項１２】
前記第１および第２の負荷は、それぞれハイ側およびロー側を備え、前記第１および第２の負荷の各ロー側は共に接続され、前記第１および第２の負荷の各ハイ側は前記電源に接続されたことを特徴とする請求項１記載のシステム。
【請求項１３】
変圧器と、
第２のインピーダンスネットワークに直列接続された第１のインピーダンスネットワークと、第２のランプに直列接続された第１のランプとを備え、
前記第１のインピーダンスネットワークは、前記第２のインピーダンスネットワークよりも大きなインピーダンス値を有し、前記第１および第２のインピーダンスネットワークは、前記変圧器の二次側に並列接続され、前記第１および第２のランプは、前記第１および第２のインピーダンスネットワークにそれぞれ並列接続され、前記第２のインピーダンスネットワークに比較して大きなインピーダンス値の前記第１のインピーダンスネットワークは、前記第２のランプの前に前記第１のランプを点灯させるランプ駆動システム。
【請求項１４】
前記第１のインピーダンスは抵抗を備えると共に、前記第２のインピーダンスはキャパシタを備えたことを特徴とする請求項１３記載のシステム。
【請求項１５】
前記第１のインピーダンスは抵抗を備えると共に、前記第２のインピーダンスはインダクタを備えたことを特徴とする請求項１３記載のシステム。
【請求項１６】
前記第２のインピーダンスは、前記変圧器のボトムとトップとの間に前記第１のランプについてリターンパスを提供することを特徴とする請求項１３記載のシステム。
【請求項１７】
前記第１のランプは、一旦前記第１のランプが点灯すると、前記変圧器のボトムとトップとの間に前記第２のランプについてリターンパスを提供することを特徴とする請求項１３記載のシステム。
【請求項１８】
前記第１のインピーダンスネットワークをはさんで発生される電圧をｘとし、フェーズされたインピーダンスネットワークをはさんで発生される電圧をｙとしたときに、前記変圧器によって供給されるトータルの電圧Ｖｔは、数式Ｖｔ＝√（ｘ２＋ｙ２）を満足することを特徴とする請求項１３記載のシステム。
【請求項１９】
前記第１のランプは、前記変圧器によって供給される初期電圧の大部分を受け取って、前記第１のランプがランプ電灯電圧で最初に点灯し、その後、前記第１のランプは、前記点灯電圧よりも小さな動作電圧を受け取り、前記第２のランプは前記第１のランプが点灯した後に点灯電圧を受け取ることを特徴とする請求項１３記載のシステム。
【請求項２０】
前記第２のインピーダンスは、前記第１のインピーダンスから概ね９０°だけフェーズがずれていることを特徴とする請求項１３記載のシステム。
【請求項２１】
前記第１および第２のインピーダンスに接続され、前記第１および第２のインピーダンスをはさんだ電圧を示す電圧フィードバック信号を発生する電圧フィードバック回路をさらに備えたことを特徴とする請求項１３記載のシステム。
【請求項２２】
前記第２のランプに接続され、前記第２のランプに供給される電流を示す電流フィードバック信号を発生する電流フィードバック回路をさらに備えたことを特徴とする請求項１３記載のシステム。
【請求項２３】
前記第１および第２のランプは、それぞれハイ側およびロー側を備え、前記第１および第２のランプの各ロー側は共に接続され、前記第１および第２のランプの各ハイ側は前記変圧器のボトムおよびトップに接続されたことを特徴とする請求項１３記載のシステム。
【請求項２４】
第２のインピーダンスネットワークに直列接続された第１のインピーダンスネットワークと、第２の負荷に直列接続された第１の負荷とを備え、
前記第２のインピーダンスネットワークは、前記第１のインピーダンスネットワークに対しフェーズシフトされると共に異なるインピーダンス値を有し、前記第１および第２のインピーダンスネットワークは電源に並列接続され、前記第１および第２の負荷は、前記第１および第２のインピーダンスネットワークに並列接続され、前記第１および第２のインピーダンスネットワークの間の前記インピーダンスの差は、前記第１および第２の負荷について初期電圧の選択されたシーケンスを発生する回路。
【請求項２５】
第２のインピーダンスネットワークに直列接続された第１のインピーダンスネットワークと、第２のランプに直列接続された第１のランプと備え、
前記第２のインピーダンスネットワークは、前記第１のインピーダンスネットワークに対しフェーズシフトされると共に異なるインピーダンス値を有し、前記第１のインピーダンスネットワークは、前記第２のインピーダンスネットワークよりも大きなインピーダンス値を有し、前記第１および第２のインピーダンスネットワークは電源に並列接続され、前記第１および第２のランプは、前記第１および第２のインピーダンスネットワークにそれぞれ並列接続され、前記第１および第２のインピーダンスネットワークの間の前記インピーダンスの差が、前記第２のランプの前に前記第１のランプを点灯させる回路。
【請求項２６】
前記負荷は、冷陰極蛍光ランプ、メタルハライドランプ、ナトリウムランプ、及びＸ線管からなるグループの中から選択されたことを特徴とする請求項１記載のシステム。
【請求項２７】
前記電圧フィードバック回路は、
前記第１のインピーダンスネットワークをはさんで現れる電圧を示す第１のコンポーネント電圧フィードバック信号を発生する前記第１のインピーダンスネットワークに直列接続された第１のインピーダンスと、
前記第２のインピーダンスネットワークをはさんで現れる電圧を示す第２のコンポーネント電圧フィードバック信号を発生する前記第２のインピーダンスネットワークに直列接続された第２のインピーダンスとを備え、
前記第１および第２のコンポーネント電圧フィードバック信号は、共通ノードで共に結合され、前記第１または第２のコンポーネント電圧フィードバック信号のうち大きい方の信号が前記電圧フィードバック信号を表すことを特徴とする請求項１０記載のシステム。
【請求項２８】
前記電圧フィードバック信号は、前記電源によって発生された電圧を制御するために利用されることを特徴とする請求項１０記載のシステム。
【請求項２９】
前記第１のインピーダンスは、前記第１のインピーダンスネットワークの抵抗値よりも小さな抵抗値を有し、前記第２のインピーダンスは、前記第２のインピーダンスネットワークの抵抗よりも大きなインピーダンス値を有することを特徴とする請求項２７記載のシステム。
【請求項３０】
前記ランプは、冷陰極蛍光ランプ、メタルハライドランプ、ナトリウムランプ、及びＸ線管からなるグループの中から選択されたことを特徴とする請求項１３記載のシステム。
【請求項３１】
前記電圧フィードバック回路は、
前記第１のインピーダンスネットワークをはさんで現れる電圧を示す第１のコンポーネント電圧フィードバック信号を発生する前記第１のインピーダンスネットワークに直列接続された第１のインピーダンスと、
前記第２のインピーダンスネットワークをはさんで現れる電圧を示す第２のコンポーネント電圧フィードバック信号を発生する前記第２のインピーダンスネットワークに直列接続された第２のインピーダンスと、
を備え、
前記第１および第２のコンポーネント電圧フィードバック信号は、共通ノードで共に結合され、前記第１または第２のコンポーネント電圧フィードバック信号のうち大きい方の信号が前記電圧フィードバック信号を表すことを特徴とする請求項２１記載のシステム。
【請求項３２】
前記電圧フィードバック信号は、前記変圧器によって発生される電圧を制御するために利用されることを特徴とする請求項２１記載のシステム。
【請求項３３】
前記第１のインピーダンスは、前記第１のインピーダンスネットワークの抵抗値よりも小さな抵抗値を有し、前記第２のインピーダンスは、前記第２のインピーダンスネットワークの抵抗よりも大きな抵抗値を有することを特徴とする請求項３１記載のシステム。
【請求項３４】
前記電源は変圧器を備えたことを特徴とする請求項１記載のシステム。
【発明の詳細な説明】
【技術分野】
【０００１】
本発明は、複数の負荷を駆動するための方法に関し、更に詳しくは、直列に接続された二つのランプ負荷を駆動するための方法に関する。
【背景技術】
【０００２】
ＣＣＦＬ(cold cathode fluorescent lamp；冷陰極蛍光ランプ)は、ディスプレイパネルに広く採用されている。ＣＣＦＬは、点灯(strike)させるために約１５００ボルト（ＲＭＳ）を必要とし、定常動作に約８００ボルト（ＲＭＳ）を必要とする。二つのＣＣＦＬを必要とするディスプレイにおいて、従来技術では、ランプを昇圧用変圧器(step-up transformer)の二次側に並列に接続する。複数ランプシステムにおいて、それらのランプを駆動するための従来技術では、互いに並列にして共に変圧器に接続する。これは点灯動作(strike)の間の電圧制御を保証するが、この接続形態(topology)は、また、ランプに対するインピーダンス整合回路を必要とする。また、この接続形態における電流制御は、各ランプの電流状態をモニタしなければならないので困難である。
【発明の開示】
【発明が解決しようとする課題】
【０００３】
従って、直列接続されたランプに対する電流制御が理想的であるので、ランプを直列に接続することが望ましい。しかしながら、ランプを直列に接続することは、各ランプに多様な点灯電圧(a multiple of strike voltage)を供給することを変圧器に要求する。これは、明らかに、ほとんどの変圧器が点灯するための３０００Ｖｒｍｓを供給することができず又は法外に高価であるために、受け入れ難い。従って、倍の点灯電圧を発生することを変圧器に負担させることなく、直列に接続された二つのランプを駆動することができるランプ駆動システムを提供することが要請されている。
【課題を解決するための手段】
【０００４】
従って、本発明は、変圧器と、第２のインピーダンスネットワークに直列に接続された第１のインピーダンスネットワークとを備え、前記第２のインピーダンスネットワークは、前記第１のインピーダンスネットワークに対してフェーズシフトされ、前記第１および第２のインピーダンスネットワークが電源に並列に接続された負荷駆動システムを提供する。第１の負荷は第２の負荷に直列に接続され、前記第１および第２の負荷は、前記第１および第２のインピーダンスネットワークに並列に接続される。
【０００５】
他の実施形態において、本発明は、第２のインピーダンスネットワークに直列に接続された第１のインピーダンスネットワークと、第２の負荷に直列に接続された第１の負荷とを備え、前記第２のインピーダンスネットワークは、前記第１のインピーダンスネットワークに対しフェーズシフトされ、前記第１および第２のインピーダンスネットワークは電源に並列に接続され、前記第１および第２の負荷は、前記第１および第２のインピーダンスネットワークに並列に接続された回路を提供する。
【０００６】
本発明において、前記第１および第２のインピーダンスネットワーク間のフェーズ差は、電源が直列接続された負荷に極めて小さな電圧を供給することを保証する。また、他の代表的な実施形態においては、第１および第２のインピーダンス間の抵抗差は、望ましい負荷点灯シーケンスを保証する。
【０００７】
以下の詳細な説明は、好ましい実施形態を参照してなされるが、本発明はこれらの好ましい実施形態に限定されるものではないことは当業者には理解できるであろう。本発明の他の特徴および利点は、図面を参照することにより、以下の詳細な説明の進行に従って明らかとなるであろう。図面において、同様の番号は同様のパートを表す。
【発明を実施するための最良の形態】
【０００８】
図１は、本発明による一つの代表的な負荷駆動システム１０のブロック図である。更に詳しくは、システム１０は代表的なランプ駆動システムである。この代表的実施形態における負荷は、直列に接続された二つのランプ、即ちランプ１とランプ２とを備えるが、本発明は、如何なる特殊な負荷をも包含するように広く解釈される。変圧器１２は、負荷であるランプ１およびランプ２に対し昇圧電源(step-up power source)を供給する。以下の説明では、変圧器は電源として包括的に参照され、且つ、そのように広く解釈されるべきである。当業者であれば、変圧器１２の一次側を駆動するために従来のインバータの接続形態を使用してもよいことが理解できるであろう。このようなインバータ接続形態は、プッシュプル、ロイヤー、ハーフブリッジ、フルブリッジ等を含み、そして、このような全てのインバータは、本発明のランプ駆動システム１０で使用してもよい。概要として、本明細書で表されたシステム１０は、変圧器の二次側の倍の電圧出力を必要とすることなく、二つのランプが直列に接続されることを可能とする。本明細書では冷陰極蛍光ランプ（ＣＣＦＬ）を参照して代表的な実施形態を説明するが、本発明は任意のタイプの負荷に適用可能である。
【０００９】
システム１０は、フェーズシフト(phase-shifted)されたローインピーダンスネットワーク１６に直列に接続されたハイインピーダンスネットワーク１４を備える。これら二つのネットワークは、共に、変圧器１２の二次側に並列に接続される。ランプ１８およびランプ２０（本明細書ではランプ１およびランプ２としても参照される）は互いに直列に接続され、且つインピーダンスネットワーク１４および１６をはさんで互いに並列に接続されている。ランプ１はインピーダンスネットワーク１４をはさんで（以下で述べるように、ローインピーダンスネットワーク１６をはさんだリターンパスと）並列に接続され、且つランプ２は、フェーズシフトされたローインピーダンスネットワーク１６をはさんで並列に接続される。ランプ１の“ハイ”側は変圧器１２の上側(upper side)に接続され、且つランプ２は、変圧器１２の下側(lower side)に接続された“ハイ”側を備えることに留意されたい。電圧フィードバック回路２４は、ハイインピーダンスネットワーク１４およびフェーズシフトされたローインピーダンスネットワーク１６に接続され、ランプ１またはランプ２に現れる電圧を示す電圧フィードバック信号ＦＢｖを発生する。この電圧フィードバック回路は、従来技術において知られているようなピーク検出器または他のタイプの回路を備えてもよい。電流センス回路２２は、ランプ２のロー側に接続され、ランプ２に供給される電力を示す電流フィードバック信号ＦＢｃを発生する。電圧フィードバック信号および電流フィードバック信号は、本技術分野で理解されるように、通常、変圧器によって供給される電力および電圧を調整するためにインバータ（図示なし）によって利用される。本発明についての電圧および電流フィードバック情報の特定の利用は以下に詳細に説明されるであろう。
【００１０】
本発明は、ハイインピーダンスネットワーク１４およびローインピーダンスネットワーク１６を採用する。加えて、ネットワーク１６は、ネットワーク１４に対しフェーズシフトされている。ネットワーク１４は、実成分（抵抗）を備え、ネットワーク１６は、ネットワーク１４とネットワーク１６との間に全フェーズ差(overall phase difference)が存在するとすれば純粋に無効成分から構成され、又は、実成分(real component)および無効成分(reactive component)から構成される。ネットワーク１６はネットワーク１４に対しフェーズシフトされているので、組み合わされたネットワーク１４およびネットワーク１６をはさんで発生される全電圧（Ｖｔ）は次の数式１で与えられる。
Ｖｔ＝√（ｘ２＋ｙ２）                             ・・・（式１）
ここで、ｘは（実）ハイインピーダンスネットワークをはさんで発生される電圧であり、そして、ｙはフェーズシフトされた（無効）インピーダンスネットワークをはさんで発生される電圧である。
【００１１】
＜ランプ点灯および動作シーケンス＞
ランプ駆動システム１０の動作特性を以下に述べる。ＣＣＦＬは、点灯に約１５００Ｖｒｍｓを必要とし、そして動作電圧に約８００Ｖｒｍｓを必要とする。初期には、点灯電圧は変圧器１２の二次側に印加される。ネットワーク１４の抵抗はネットワーク１６の抵抗よりも大きいため、ハイインピーダンスネットワーク１４はこの電圧の大部分を入力する。二つの電圧ドロップが（ネットワーク１４およびネットワーク１６をはさんで）存在するので、変圧器は、ネットワーク１６において失われる電圧をランプ１の点灯電圧に加えた電圧と等しい電圧を供給する。この電圧は、Ｖｔについて上述した数式によって決定される。ランプ２はランプ１が点灯するまではリターンパスを持たない。なぜなら、（点灯前の）ランプ１のハイインピーダンス及び（ネットワーク１６と比較した）ネットワーク１４のハイインピーダンスがランプ２を孤立(isolate)させるからである。
【００１２】
ランプ２を点灯させるための電圧は、ランプ１を点灯するための電圧に概ね等しく、例えば１５００Ｖｒｍｓである。ランプ１は既に点灯されているので、ネットワーク１４をはさんで約８００Ｖｒｍｓの動作電圧が存在する。従って、コントローラは、ランプ２に対する追加的な点灯電圧を供給する必要がある。この点灯電圧は、ネットワーク１４および１６をはさんだ電圧であり、即ちこの電圧は、√（１５００２＋８００２）、または約１７００Ｖである。上述の数値例は、フェーズ(phased)されたローインピーダンスネットワーク１６における純粋な無効負荷(reactive load)を想定している。従って、直列に接続されたランプを点灯するために３０００Ｖｒｍｓを供給することを必要とするのではなく、本発明のシステム１０は、システムコンポーネントおよび変圧器の電圧要件を著しく低減する。
【００１３】
ネットワーク１４およびネットワーク１６のインピーダンスの差は、望ましい点灯シーケンスを保証する。上述した代表的システム１０において、ランプ１が、ネットワーク１６を通じたリターンパスで最初に点灯する。従って、通常、ネットワーク１６のインピーダンス値はランプ１についてリターンパスを保証するように選択される。このインピーダンス値は、また、動作周波数の関数であり、従ってシステム１０の周波数特性に応じて変えてもよい。ランプ１およびランプ２の間の点灯シーケンスを保証するため、定性的に、二つのネットワークの抵抗値は、変圧器によって供給される電圧の大部分をネットワーク１４が初期に受け取るように選択される。上記電圧の大部分がより大きくなること（即ち、ネットワーク１４およびネットワーク１６の間の抵抗値がより大きくなること）は、変圧器が初期に発生しなければならない電圧が小さくなることを意味する。ネットワーク１４およびネットワーク１６の間のフェーズ差は、変圧器から倍の電圧出力を必要とすることなく、本発明が直列に接続された二つのランプを動作させるために数式１を利用することを可能にする。
【００１４】
＜ベストモードの実施＞
図２は、図１のランプ駆動システム１０の代表的回路１０’である。特定のコンポーネント値は後述するが、これらのコンポーネント値は単なる代表例であり、本発明の要旨を逸脱することなく、本明細書で述べられる原理に従って変えてもよい。ハイインピーダンスネットワーク１４は抵抗Ｒ１を備える。抵抗Ｒ２は、ランプ１をはさんだ電圧フィードバックの電圧フィードバックデータ指示のために備えられる。Ｒ１>>Ｒ２とし、Ｒ２をはさんで現れる電圧は無視できるものとする。フェーズシフトされたローインピーダンスネットワークはキャパシタＣ１を備える。キャパシタＣ１のインピーダンス値（１／２πｆＣで与えられる）は、上述した原理に従って選択され、図２の例では約６００ｋΩ（５０ＫＨｚで動作するキャパシタが５ｐＦとした場合）である。換言すると、ハイインピーダンスネットワークの抵抗はローインピーダンスネットワークよりも約５倍大きい。キャパシタＣ２はランプ２における電圧を示す電圧フィードバック信号を発生するために設けられ、そしてＣ２を通じたグランドへのショートよりも、むしろ、ランプ１に対する完全なパスがＣ１を通じて（およびダイオードＤ２を通じて）提供されるように、キャパシタＣ２の値はＣ１よりも大きい。図において、Ｃ２は概ねＣ１よりも１桁大きい。Ｄ１およびＤ２は、それぞれＲ２およびＣ２をはさんで現れるＡＣ電圧について負の半サイクルに対するブロッキングダイオードとして動作する。
【００１５】
システム１０’の動作は、システム１０の上述の説明において大まかに述べられた。システム１０’の特定の動作は詳細には次のようである。ネットワーク１６はネットワーク１４から９０°だけフェーズシフトされており、これにより、変圧器により要求されるトータルの電圧を低減する。何れかのランプが点灯される前に、変圧器１２の二次側は、ネットワーク１４および１６をはさんで、Ｖｔ＝√（ｘ２＋ｙ２）に等しい電圧を発生する。ここで、ｘはＲ１をはさんで発生される電圧であり、ｙはＣ１をはさんで発生される電圧である。ｘは、また、ランプ１を点灯するために必要な電圧、即ち１５００Ｖｒｍｓを表す。Ｒ１の抵抗はＣ１の抵抗よりも約５倍だけ大きいので、ｙは約３００Ｖｒｍｓであり、トータルの電圧は概ね１５３０Ｖｒｍｓとなる。ランプ１は、点灯に十分な電圧を有すると共に、Ｃ１を通じて変圧器１２へのリターンパスが供給される。一旦点灯されると、ランプ１は約８００ボルトしか必要としない。しかしながら、ランプ２は、点灯するための１５００Ｖｒｍｓを依然として必要としている。８００Ｖｒｍｓはすでに、ランプ１およびＲ１をはさんで現れているので、インバータは、変圧器の二次側に１５００Ｖｒｍｓを供給し、ランプ２を点灯するように（電圧フィードバック回路２４を通じて）制御される。しかしながら、ネットワーク１４および１６の間のフェーズ差のために、変圧器は、トータルで約１７００Ｖｒｍｓを供給するだけでよい。これは、再び、数式：Ｖｔ＝√（ｘ２＋ｙ２）により決定される。ここで、ｘはＲ１をはさんで発生される電圧（８００Ｖｒｍｓ）であり、ｙは、ランプ２を点灯するのに必要な電圧（１５００Ｖｒｍｓ）を表すところのＣ１をはさんで発生される電圧である。また、ランプ１は既に点灯されているので、その真のインピーダンスは、Ｒ１と比較して著しく減少し、従って、変圧器のトップ側へのランプ２についてのリターンパスがランプ１を通じて提供される。
【００１６】
図２に示されるように、電圧フィードバック信号、即ちネットワーク１６によって発生される第１電圧フィードバック信号（ＦＢＶ１）、および、ネットワーク１６によって発生される第２電圧フィードバック信号（ＦＢＶ２）を発生する二つの電圧フィードバックコンポーネントが存在する。さらに具体的には、ＦＢＶ１はダイオードＤ３のアノードから得られ、Ｒ２をはさんで発生され、そしてＦＢＶ２はＤ４のアノードから得られ、Ｃ２をはさんで発生される。両方の信号はノード３０で結びつく。この構成は、ＦＢＶ１またはＦＢＶ２の何れか大きい方の信号が電圧フィードバックブロック２４のセンス電圧を支配することを保証する。ランプ１が点灯する前に、ＦＢＶ１はＦＢＶ２よりも大きく、従って変圧器の電圧はＦＢＶ１により制御される。ランプ１が点灯した後では、ランプ１が必要とする動作電圧は小さくなるので、ＦＢＶ１は低下する。ネットワーク１６に現れる電圧は、（ランプ２がまだ点灯していないので）増加し、従って電圧は、ランプ２が点灯するまでＦＢＶ１によって制御される。従って、変圧器の出力電圧はＦＢＶ１またはＦＢＶ２によって制御される。当業者に理解されるように、変圧器出力電圧を直接的に制御することは、変圧器１２がフローティング状態にあるので困難である。しかしながら、本発明においては、ネットワーク１４および１６をはさんだ相対的電圧低下は既知であり、さらに、変圧器電圧が数式１により与えられるように、ランプ１またはランプ２の何れかの点灯電圧に概ね等しい。双方のランプがターンオン（点灯）された後は、変圧器の出力電圧は点灯電圧(striking voltage)よりも低くなり、そしてインバータは、ランプ２を通じた電流フィードバックによりランプ電流を制御する。
【００１７】
本発明は、変圧器の一次側に接続されたインバータが、インバータコントローラによって、電流および電圧フィードバック情報に基づき変圧器に供給される電力を調整することが可能であるということを想定している。このようなインバータコントローラは本技術分野では公知であり、そして、プッシュプル、ロイヤー、ハーフブリッジおよびフルブリッジインバータの接続形態によって提供されるように、通常、パルス幅変調スイッチングスキームを調整するためにフィードバック情報を使用する。加えて、本発明は、ＣＣＦＬを特定的に参照するが、本発明は、メタルハライドランプ(metal halide lamp)、ナトリウムランプ(sodium vapor lamp)、及び／又はＸ線管のような、本技術分野において知られている多くのタイプランプおよび電子管(tube)を駆動するのに同様に適用可能である。
【００１８】
当業者であれば、本発明に対する種々の変形を認識するであろう。例えば、フィードバックコントロール回路２２は、また、もしランプ１及び／又はランプ２が所定時間内に点灯しなければ、変圧器に現れる電圧を停止（又は最小化）するためにインバータコントローラに割り込み信号を発生するタイムアウト回路を備えてもよい。追加的な変形もまた可能である。例えば、図２に示されるフェーズシフトされたローインピーダンスネットワーク１６を表す容量性の負荷は、本発明を逸脱することなく、誘導性(inductive)の負荷で実施してもよい。また、電圧フィードバックキャパシタＣ２は、図２に示される代表的実施形態の動作特性を大きく変更することなく、類似の抵抗特性の抵抗で置き換えることができる。加えて、ローインピーダンスネットワークの抵抗値は、ハイインピーダンスネットワークの抵抗値と一致し又は概ね一致するように選択されてもよいが、しかしながら、このような変更は、変圧器が一層高い電圧を発生することを必要とし、そして望ましいランプ点灯シーケンスを保証するための追加の回路を必要とする。これら及び他の変形は、当業者には明らかであり、そしてそのような全ての変形は本発明の要旨および思想の範囲内であると見なされ、添付の請求項によってのみ制限される。
【図面の簡単な説明】
【００１９】
【図１】本発明による一つの代表的なランプ駆動システムのブロック図である。
【図２】図１のシステムの代表的回路図である。
【符号の説明】
【００２０】
１２  変圧器
１４  ハイインピーダンスネットワーク
１６  ローインピーダンスネットワーク
１８  ランプ（ランプ１）
２０  ランプ（ランプ２）
２２  フィードバックコントロール回路
２４  電圧フィードバック回路
【図１】
2005507145.tif 000003
【図２】
2005507145.tif 000004
【国際公開パンフレット】
2005507145.tif 000005
2005507145.tif 000006
2005507145.tif 000007
2005507145.tif 000008
2005507145.tif 000009
2005507145.tif 000010
2005507145.tif 000011
2005507145.tif 000012
2005507145.tif 000013
2005507145.tif 000014
2005507145.tif 000015
2005507145.tif 000016
2005507145.tif 000017
2005507145.tif 000018
2005507145.tif 000019
【国際公開パンフレット（コレクトバージョン）】
2005507145.tif 000020
2005507145.tif 000021
【国際調査報告】
2005507145.tif 000022